(57)【特許請求の範囲】
【請求項１】
デジタル放送により伝送される映像音声データを記録するデジタル放送記録装置において、
音楽番組録画モードを指定するための指定手段と、
前記指定手段により音楽番組録画モードが指定された場合に、デジタル放送により伝送される映像音声データの無音部を検出する検出手段と、
前記検出手段により検出された映像音声データの前記無音部から当該無音部の次の無音部までの間の映像データから予め設定された時間間隔毎に静止画データを取得する取得手段と、
前記取得手段により取得された静止画データと、映像音声データの前記無音部から当該無音部の次の無音部までの間の音声データとを対応づけて自装置の記憶手段に記憶させる記憶制御手段と、
前記記憶手段に記憶された音声データを再生する際に、前記記憶手段に記憶された静止画データに基づく画像を所定時間毎に切り換えて自装置と接続された表示装置に表示させる再生制御手段と、
を備えることを特徴とするデジタル放送記録装置。
【請求項２】
デジタル放送により伝送される音声データと静止画が連続した映像データとからなる音楽番組の映像音声データを記録するデジタル放送記録装置において、
音楽番組録画モードを指定するための指定手段と、
前記指定手段により音楽番組録画モードが指定された場合に、デジタル放送により伝送
される映像音声データの無音部を検出する検出手段と、
映像音声データの前記無音部における映像データに変化があるかないかを判断する判断手段と、
前記判断手段により映像音声データの前記無音部における映像データに変化があると判断された場合に、映像音声データの前記無音部の映像データから静止画データを取得する取得手段と、
前記取得手段により取得された静止画データと、映像音声データの前記無音部から当該無音部の次の無音部までの間の音声データとを対応づけて自装置の記憶手段に記憶させる記憶制御手段と、
前記記憶手段に記憶された音声データを再生する際に、前記記憶手段に記憶された静止画データに基づく画像を自装置と接続された表示装置に表示させる再生制御手段と、
を備えることを特徴とするデジタル放送記録装置。
【発明の詳細な説明】
【技術分野】
【０００１】
本発明は、デジタル放送記録装置に関する。
【背景技術】
【０００２】
従来、映像音声データの無音部を検出して、当該無音部に区切り情報を挿入することによりスキップ再生を可能にするとともに、映像データから当該無音部の静止画データを抽出してサムネイル表示する記録再生装置が知られている（例えば、特許文献１）。
また、音声データのみを記録したＣＤを再生する際に、当該音声データに適合する映像データを取得して表示部に表示する記録再生装置も知られている（例えば、特許文献２）。
また、音声データに区切り情報を挿入するとともに、静止画データと音声データとを対応づけて記憶する記録媒体のデータ構造も知られている（例えば、特許文献３）。
【特許文献１】特開２００５−１３５５２９号公報
【特許文献２】特開２００３−２８１８６２号公報
【特許文献３】特開２００２−１５２６７７号公報
【発明の開示】
【発明が解決しようとする課題】
【０００３】
ところで、デジタル放送等における音楽専用チャンネルでは、１曲分の音声データが放送される際に当該曲に関連する静止画が表示されるものがある。そして、当該音楽専用チャンネルの放送を記録すると、当該音声データと当該曲の時間分の静止画の映像データが記録媒体に記録されることとなり、表示されるのは静止画であるにもかかわらず、動画と同様の記録容量を必要とし、効率的ではないという問題がある。特許文献１及び特許文献２は、映像データを音声データと同じ時間分だけ記録するものであるため、当該問題を解決することはできない。また、特許文献３は、単に、音声データに静止画データを付加するためのデータ構造についての発明であるため、当該問題を解決することはできない。
【０００４】
本発明の課題は、音楽専用チャンネルの放送をより効率良く記録するデジタル放送記録装置を提供することである。
【課題を解決するための手段】
【０００７】
請求項１に記載の発明は、デジタル放送により伝送される映像音声データを記録するデジタル放送記録装置において、
音楽番組録画モードを指定するための指定手段と、
前記指定手段により音楽番組録画モードが指定された場合に、デジタル放送により伝送される映像音声データの無音部を検出する検出手段と、
前記検出手段により検出された映像音声データの前記無音部から当該無音部の次の無音部までの間の映像データから予め設定された時間間隔毎に静止画データを取得する取得手段と、
前記取得手段により取得された静止画データと、映像音声データの前記無音部から当該無音部の次の無音部までの間の音声データとを対応づけて自装置の記憶手段に記憶させる記憶制御手段と、
前記記憶手段に記憶された音声データを再生する際に、前記記憶手段に記憶された静止画データに基づく画像を所定時間毎に切り換えて自装置と接続された表示装置に表示させる再生制御手段と、
を備えることを特徴としている。
【０００８】
請求項２に記載の発明は、デジタル放送により伝送される音声データと静止画が連続した映像データとからなる音楽番組の映像音声データを記録するデジタル放送記録装置において、
音楽番組録画モードを指定するための指定手段と、
前記指定手段により音楽番組録画モードが指定された場合に、デジタル放送により伝送される映像音声データの無音部を検出する検出手段と、
映像音声データの前記無音部における映像データに変化があるかないかを判断する判断手段と、
前記判断手段により映像音声データの前記無音部における映像データに変化があると判断された場合に、映像音声データの前記無音部の映像データから静止画データを取得する取得手段と、
前記取得手段により取得された静止画データと、映像音声データの前記無音部から当該無音部の次の無音部までの間の音声データとを対応づけて自装置の記憶手段に記憶させる記憶制御手段と、
前記記憶手段に記憶された音声データを再生する際に、前記記憶手段に記憶された静止画データに基づく画像を自装置と接続された表示装置に表示させる再生制御手段と、
を備えることを特徴としている。
【発明の効果】
【００１２】
請求項１に記載の発明によれば、検出手段により、指定手段によって音楽番組録画モードが指定された場合に、デジタル放送により伝送される映像音声データの無音部が検出され、取得手段により、検出手段によって検出された映像音声データの無音部から当該無音部の次の無音部までの間の映像データから予め設定された時間間隔毎に静止画データが取得され、記憶制御手段により、取得手段によって取得された静止画データと、映像音声データの無音部から当該無音部の次の無音部までの間の音声データとが対応づけられて自装置の記憶手段に記憶され、再生制御手段により、記憶手段に記憶された音声データが再生される際に、記憶手段に記憶された静止画データに基づく画像が所定時間毎に切り換えられて自装置と接続された表示装置に表示されるので、曲の始まりと終わりの無音部が検出されて当該無音部の間の１曲の中で予め設定された時間間隔毎の静止画データが取得され、結果として１曲当たり時間に応じた所定数の静止画データが取得されることとなり、記憶手段には、１曲分の音声データと時間に応じた所定数の静止画データのみが記憶されることとなって、記憶手段の記憶領域を効率良く使用することができ、音楽専用チャンネルの放送をより効率良く記録することができる。
また、音声データと動画である映像データとが放送される番組であっても、当該映像データから予め設定された時間間隔毎に静止画データが取得され、記憶手段に記憶された音声データを再生する際に、当該静止画データに基づく画像が所定時間毎に切り換えられて表示装置に表示されるので、動画である映像データを大まかに視聴することができる。
【００１３】
請求項２に記載の発明によれば、検出手段により、指定手段によって音楽番組録画モードが指定された場合に、デジタル放送により伝送される映像音声データの無音部が検出され、判断手段により、映像音声データの無音部における映像データに変化があるかないかが判断され、取得手段により、判断手段によって映像音声データの無音部における映像データに変化があると判断された場合に、映像音声データの無音部の映像データから静止画データが取得され、記憶制御手段により、取得手段によって取得された静止画データと、映像音声データの無音部から当該無音部の次の無音部までの間の音声データとが対応づけられて自装置の記憶手段に記憶され、再生制御手段により、記憶手段に記憶された音声データが再生される際に、記憶手段に記憶された静止画データに基づく画像が自装置と接続された表示装置に表示されるので、曲の始まりと終わりの無音部が検出されて当該無音部の静止画データが取得され、結果として１曲あたり１つの静止画データが取得されることとなり、記憶手段には、１曲分の音声データと１つの静止画データのみが記憶されることとなって、記憶手段の記憶領域を効率良く使用することができ、音楽専用チャンネルの放送をより効率良く記録することができる。
また、曲の始まりと終わりが、無音部だけでなく、静止画が連続した映像データに変化があるか否かによっても判断されるので、１曲の中に無音部を含む曲であっても、より正確に曲の始まりと終わりを判断することができる。
【発明を実施するための最良の形態】
【００１５】
以下、図を参照して、本発明に係るデジタル放送記録装置を実施するための最良の形態を詳細に説明する。
【００１６】
（第１の実施形態）
まず、本発明の第１の実施形態に係るデジタル放送記録装置１００の構成について図１，図２を参照しながら説明する。本実施形態に係るデジタル放送記録装置１００は、例えば、図１，図２に示すように、アンテナ１，チューナ部２，復調部３，デコーダ４，エンコーダ５，ＨＤＤ６，入力部７，制御部８等を備えて構成され、表示装置２００，音出力装置３００等と接続されている。
【００１７】
アンテナ１は、例えば、パラボラアンテナやＵＨＦアンテナ等であり、地上波デジタル放送，ＢＳ・ＣＳ放送等のテレビジョン放送信号を含む放送波を受信し、地上波デジタル信号，ＢＳ・ＣＳ放送信号等のＲＦ信号をチューナ部２に出力する。なお、ＣＡＴＶ回線を介して放送波を受信する場合には、接続ケーブル（図示省略）等が備えられてもよい。
【００１８】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号がユーザが所望するチャンネルのＩＦ（Intermediate  Frequency）信号に変換され、Ａ／Ｄ変換回路により、生成されたＩＦ信号がデジタルデータに変換される。
【００１９】
復調部３は、例えば、チューナ部２から入力されるデジタルデータに復調処理等を行って、デコーダ４に出力する。
【００２０】
デコーダ４は、例えば、復調部３から入力されるデジタルデータに復号処理等を行って映像データ，音声データを生成し、表示装置２００，音出力装置３００等に出力する。
【００２１】
エンコーダ５は、デコーダ４からＣＰＵ９を介して出力される映像データ，音声データに符号化処理を行い、ＨＤＤ６に出力する。
【００２２】
ＨＤＤ６は、例えば、磁気的記録媒体等を備えて構成され、エンコーダ５から入力された映像データ及び音声データを記憶する。
【００２３】
入力部７は、例えば、各種の操作信号を入力するための各種のキー等を備え、ユーザにより操作されることによって、各種の操作信号を制御部８に出力する。
より具体的には、入力部７は、音楽番組録画モードを指定する操作信号を制御部８に出力し、指定手段として機能する。
【００２４】
制御部８は、例えば、図２に示すように、ＣＰＵ（Central  Processing  Unit）９，ＲＡＭ（Random  Access  Memory）１０，記憶部１１等を備えて構成される。
【００２５】
ＣＰＵ９は、例えば、記憶部１１に格納された処理プログラム等を読み出して、ＲＡＭ１０に展開して実行することにより、デジタル放送記録装置１００全体の制御を行う。
【００２６】
ＲＡＭ１０は、ＣＰＵ９により実行された処理プログラム等を、ＲＡＭ１０内のプログラム格納領域に展開するとともに、入力データや上記処理プログラムが実行される際に生じる処理結果等をデータ格納領域に格納する。
【００２７】
記憶部１１は、例えば、プログラムやデータ等が予め記憶されている記録媒体（図示せず）を有しており、この記録媒体は、例えば、半導体メモリ等で構成されている。また、記憶部１１は、ＣＰＵ９がデジタル放送記録装置１００全体を制御する機能を実現させるための各種データ，各種処理プログラム，これらプログラムの実行により処理されたデータ等を記憶する。より具体的には、記憶部１１は、例えば、図２に示すように、通常録画プログラム１１Ａ，検出プログラム１１Ｂ，取得プログラム１１Ｃ，記憶制御プログラム１１Ｄ，再生制御プログラム１１Ｅ等を格納している。
【００２８】
通常録画プログラム１１Ａは、例えば、ＣＰＵ９に、デコーダ４から出力される映像データと音声データとを対応づけてＨＤＤ６に記憶する機能を実現させるプログラムである。
【００２９】
検出プログラム１１Ｂは、例えば、ＣＰＵ９に、デジタル放送により伝送される映像音声データの無音部を検出する機能を実現させるプログラムである。より具体的には、検出プログラム１１Ｂは、例えば、ＣＰＵ９に、デジタル放送により伝送される映像音声データの音声信号のレベル判定を行うことにより無音部を検出する機能を実現させるプログラムである。ＣＰＵ９は、かかる検出プログラム１１Ｂを実行することにより、検出手段として機能する。
【００３０】
取得プログラム１１Ｃは、例えば、ＣＰＵ９に、検出プログラム１１Ｂを実行することにより検出した映像音声データの無音部の映像データから静止画データを取得する機能を実現させるプログラムである。より具体的には、取得プログラム１１Ｃは、例えば、ＣＰＵ９に、検出プログラム１１Ｂを実行することにより、無音部を検出したか否かを判断して、無音部を検出したと判断した場合に、映像音声データの当該無音部の映像データから静止画データを取得する機能を実現させるプログラムである。ＣＰＵ９は、かかる取得プログラム１１Ｃを実行することにより取得手段として機能する。
【００３１】
記憶制御プログラム１１Ｄは、例えば、ＣＰＵ９に、取得プログラム１１Ｃを実行することにより取得した静止画データと映像音声データの無音部から当該無音部の次の無音部までの間の音声データとを対応づけて１つのチャプターとしてＨＤＤ６に記憶させる機能を実現させるプログラムである。ＣＰＵ９は、かかる記憶制御プログラム１１Ｄを実行することにより、記憶制御手段として機能する。
【００３２】
再生制御プログラム１１Ｅは、例えば、ＣＰＵ９に、ＨＤＤ６に記憶された音声データを再生する際に、ＨＤＤ６に記憶された静止画データに基づく画像を表示装置２００に表示させる機能を実現させるプログラムである。より具体的には、再生制御プログラム１１Ｅは、例えば、ＣＰＵ９に、ＨＤＤ６に記憶された音声データをデコーダ４により復号処理させて音出力装置３００に出力して再生させるとともに、当該音声データと対応づけてＨＤＤ６に記憶されている静止画データをデコーダ４により復号処理させて表示装置２００に出力して再生させる機能を実現させるプログラムである。ＣＰＵ９は、かかる再生制御プログラム１１Ｅを実行することにより、再生制御手段として機能する。
【００３３】
表示装置２００は、例えば、ＬＣＤ（Liquid  Crystal  Display）やＰＤＰ（Plasma  Display  Panel）等の表示部等を備えて構成され、デコーダ４から出力される映像データに基づく映像を表示部に表示する。
【００３４】
音出力装置３００は、例えば、スピーカ等を備えて構成され、デコーダ４から出力される音声データに基づく音声を出力する。
【００３５】
次に、上述のような構成の第１の実施形態に係るデジタル放送記録装置１００の音楽番組録画モードの動作について図３に示すフローチャートを参照しながら説明する。
まず、入力部７がユーザに操作されることにより、音楽番組録画モードを指定する操作信号が入力されると（ステップＳ１）、ＣＰＵ９は、検出プログラム１１Ｂを実行することにより、デジタル放送により伝送される映像音声データの無音部を検出する（ステップＳ２）。
【００３６】
次に、ＣＰＵ９は、取得プログラム１１Ｃを実行することにより、無音部を検出したか否かを判断する（ステップＳ３）。
ステップＳ３において、ＣＰＵ９が、無音部を検出していないと判断した場合には（ステップＳ３；Ｎｏ）、ステップＳ２に戻る。
ステップＳ３において、ＣＰＵ９が、無音部を検出したと判断した場合には（ステップＳ３；Ｙｅｓ）、ＣＰＵ９は、取得プログラム１１Ｃの実行に基づいて、映像音声データの当該無音部の映像データから静止画データを取得する（ステップＳ４）。
【００３７】
次に、ＣＰＵ９は、検出プログラム１１Ｂを実行することにより、デジタル放送により伝送される映像音声データの無音部を検出する（ステップＳ５）。
【００３８】
次に、ＣＰＵ９は、取得プログラム１１Ｃを実行することにより、無音部を検出したか否かを判断する（ステップＳ６）。
ステップＳ６において、ＣＰＵ９が、無音部を検出していないと判断した場合には（ステップＳ６；Ｎｏ）、ステップＳ５に戻る。
ステップＳ６において、ＣＰＵ９が、無音部を検出したと判断した場合には（ステップＳ６；Ｙｅｓ）、ＣＰＵ９は、記憶制御プログラム１１Ｄを実行することにより、ステップＳ４において取得した静止画データと映像音声データの無音部から当該無音部の次の無音部までの間の音声データとを対応づけて１つのチャプターとしてＨＤＤ６に記憶させる（ステップＳ７）。
【００３９】
次に、ＣＰＵ９は、入力部７がユーザにより操作されることにより、録画を終了する操作信号が入力されたか否かを判断する（ステップＳ８）。
ステップＳ８において、ＣＰＵ９が、録画を終了する操作信号が入力されていないと判断した場合には（ステップＳ８；Ｎｏ）、ステップＳ４に戻る。
ステップＳ８において、ＣＰＵ９が、録画を終了する操作信号が入力されたと判断した場合には（ステップＳ８；Ｙｅｓ）、本処理を終了する。
【００４０】
次に、本発明の第１の実施形態に係るデジタル放送記録装置１００における音楽番組録画モードによりＨＤＤ６に記憶された音声データの再生動作について図４に示すフローチャートを参照しながら説明する。
【００４１】
まず、入力部７がユーザにより操作されることによって、音楽番組録画モードによりＨＤＤ６に記憶された音声データの再生を指示する操作信号が入力されると（ステップＳ１０１）、ＣＰＵ９は、再生制御プログラム１１Ｅを実行することにより、ＨＤＤ６に記憶された音声データをデコーダ４により復号処理させて音出力装置３００に出力して再生させるとともに、当該音声データと対応づけてＨＤＤ６に記憶されている静止画データをデコーダ４により復号処理させて表示装置２００に出力して再生させる（ステップＳ１０２）。
【００４２】
以上に説明した本発明の第１の実施形態に係るデジタル放送記録装置１００によれば、ＣＰＵ９が検出プログラム１１Ｂを実行することにより、入力部７によって音楽番組録画モードが指定された場合に、デジタル放送により伝送される映像音声データの無音部が検出され、ＣＰＵ９が取得プログラム１１Ｃを実行することにより、検出された映像音声データの無音部の映像データから静止画データが取得され、ＣＰＵ９が記憶制御プログラム１１Ｄを実行することにより、取得された静止画データと、映像音声データの無音部から当該無音部の次の無音部までの間の音声データとが対応づけられてＨＤＤ６に記憶され、ＣＰＵ９が再生制御プログラム１１Ｅを実行することにより、ＨＤＤ６に記憶された音声データが再生される際に、ＨＤＤ６に記憶された静止画データに基づく画像が表示装置２００により表示されるので、曲の始まりと終わりの無音部が検出されて当該無音部の静止画データが取得され、結果として１曲あたり１つの静止画データが取得されることとなり、ＨＤＤ６には、１曲分の音声データと１つの静止画データのみが記憶されることとなって、ＨＤＤ６の記憶領域を効率良く使用することができ、音楽専用チャンネルの放送をより効率良く記録することができる。
また、無音部により曲の始まりと終わりが検出されて、ＨＤＤ６には、１曲分の音声データが１つのチャプターとして記憶されるので、１曲ごとのスキップ再生をすることができる。
【００４３】
（第２の実施形態）
第２の実施形態に係るデジタル放送記録装置４００は、例えば、図５に示すように、記憶部２１の構成のみが、第１の実施形態に係るデジタル放送記録装置１００と異なるので、同一の構成については同一の符号を付すとともに、その説明を省略する。
なお、本実施形態における音楽番組では、例えば、音声データと静止画が連続した映像データとが伝送される。
【００４４】
記憶部２１は、例えば、プログラムやデータ等が予め記憶されている記録媒体（図示せず）を有しており、この記録媒体は、例えば、半導体メモリ等で構成されている。また、記憶部２１は、ＣＰＵ９がデジタル放送記録装置４００全体を制御する機能を実現させるための各種データ，各種処理プログラム，これらプログラムの実行により処理されたデータ等を記憶する。より具体的には、記憶部２１は、例えば、図５に示すように、通常録画プログラム１１Ａ，検出プログラム１１Ｂ，判断プログラム２１Ａ，取得プログラム２１Ｂ，記憶制御プログラム１１Ｄ，再生制御プログラム１１Ｅ等を格納している。
【００４５】
判断プログラム２１Ａは、例えば、ＣＰＵ９に、検出プログラム１１Ｂを実行することにより検出した映像音声データの無音部における映像データに変化があるかないかを判断する機能を実現させるプログラムである。より具体的には、判断プログラム２１Ａは、例えば、ＣＰＵ９に、検出プログラム１１Ｂを実行することにより無音部を検出したか否かを判断し、無音部を検出したと判断した場合には、映像音声データの当該無音部における映像データに変化があるかないかを判断する機能を実現させるプログラムである。ＣＰＵ９は、かかる判断プログラム２１Ａを実行することにより、判断手段として機能する。
【００４６】
取得プログラム２１Ｂは、例えば、ＣＰＵ９に、判断プログラム２１Ａを実行することにより映像音声データの無音部における映像データに変化があると判断した場合に、映像音声データの当該無音部の映像データから静止画データを取得する機能を実現させるプログラムである。ＣＰＵ９は、かかる取得プログラム２１Ｂを実行することにより取得手段として機能する。
【００４７】
次に、上述のような構成の第２の実施形態に係るデジタル放送記録装置４００の音楽番組録画モードの動作について図６に示すフローチャートを参照しながら説明する。
まず、入力部７がユーザに操作されることにより、音楽番組録画モードを指定する操作信号が入力されると（ステップＳ２０１）、ＣＰＵ９は、検出プログラム１１Ｂを実行することにより、デジタル放送により伝送される映像音声データの無音部を検出する（ステップＳ２０２）。
【００４８】
次に、ＣＰＵ９は、判断プログラム２１Ａを実行することにより、無音部を検出したか否かを判断する（ステップＳ２０３）。
ステップＳ２０３において、ＣＰＵ９が、無音部を検出していないと判断した場合には（ステップＳ２０３；Ｎｏ）、ステップＳ２０２に戻る。
ステップＳ２０３において、ＣＰＵ９が、無音部を検出したと判断した場合には（ステップＳ２０３；Ｙｅｓ）、ＣＰＵ９は、判断プログラム２１Ａの実行に基づいて、映像音声データの当該無音部における映像データに変化があるかないかを判断する（ステップＳ２０４）。
【００４９】
ステップＳ２０４において、ＣＰＵ９が、映像音声データの当該無音部における映像データに変化がないと判断した場合には（ステップＳ２０４；Ｎｏ）、ステップＳ２０２に戻る。
ステップＳ２０４において、ＣＰＵ９が、映像音声データの当該無音部における映像データに変化があると判断した場合には（ステップＳ２０４；Ｙｅｓ）、ＣＰＵ９は、取得プログラム２１Ｂを実行することにより、映像音声データの当該無音部の映像データから静止画データを取得する（ステップＳ２０５）。
【００５０】
次に、ＣＰＵ９は、検出プログラム１１Ｂを実行することにより、デジタル放送により伝送される映像音声データの無音部を検出する（ステップＳ２０６）。
【００５１】
次に、ＣＰＵ９は、判断プログラム２１Ａを実行することにより、無音部を検出したか否かを判断する（ステップＳ２０７）。
ステップＳ２０７において、ＣＰＵ９が、無音部を検出していないと判断した場合には（ステップＳ２０７；Ｎｏ）、ステップＳ２０６に戻る。
ステップＳ２０７において、ＣＰＵ９が、無音部を検出したと判断した場合には（ステップＳ２０７；Ｙｅｓ）、ＣＰＵ９は、判断プログラム２１Ａの実行に基づいて、映像音声データの当該無音部における映像データに変化があるかないかを判断する（ステップＳ２０８）。
【００５２】
ステップＳ２０８において、ＣＰＵ９が、映像音声データの当該無音部における映像データに変化がないと判断した場合には（ステップＳ２０８；Ｎｏ）、ステップＳ２０６に戻る。
ステップＳ２０８において、ＣＰＵ９が、映像音声データの当該無音部における映像データに変化があると判断した場合には（ステップＳ２０８；Ｙｅｓ）、ＣＰＵ９は、記憶制御プログラム１１Ｄを実行することにより、ステップＳ２０５において取得した静止画データと映像音声データの無音部から当該無音部の次の無音部までの間の音声データとを対応づけて１つのチャプターとしてＨＤＤ６に記憶させる（ステップＳ２０９）。
【００５３】
次に、ＣＰＵ９は、入力部７がユーザにより操作されることにより、録画を終了する操作信号が入力されたか否かを判断する（ステップＳ２１０）。
ステップＳ２１０において、ＣＰＵ９が、録画を終了する操作信号が入力されていないと判断した場合には（ステップＳ２１０；Ｎｏ）、ステップＳ２０５に戻る。
ステップＳ２１０において、ＣＰＵ９が、録画を終了する操作信号が入力されたと判断した場合には（ステップＳ２１０；Ｙｅｓ）、本処理を終了する。
【００５４】
以上に説明した本発明の第２の実施形態に係るデジタル放送記録装置４００によれば、ＣＰＵ９が検出プログラム１１Ｂを実行することにより、入力部７によって音楽番組録画モードが指定された場合に、デジタル放送により伝送される映像音声データの無音部が検出され、ＣＰＵ９が判断プログラム２１Ａを実行することにより、映像音声データの無音部における映像データに変化があるかないかが判断され、ＣＰＵ９が取得プログラム２１Ｂを実行することにより、映像音声データの無音部における映像データに変化があると判断した場合に、映像音声データの無音部の映像データから静止画データが取得され、ＣＰＵ９が記憶制御プログラム１１Ｄを実行することにより、取得された静止画データと、映像音声データの無音部から当該無音部の次の無音部までの間の音声データとが対応づけられてＨＤＤ６に記憶され、ＣＰＵ９が再生制御プログラム１１Ｅを実行することにより、ＨＤＤ６に記憶された音声データが再生される際に、ＨＤＤ６に記憶された静止画データに基づく画像が表示装置２００に表示されるので、曲の始まりと終わりの無音部が検出されて当該無音部の静止画データが取得され、結果として１曲あたり１つの静止画データが取得されることとなり、ＨＤＤ６には、１曲分の音声データと１つの静止画データのみが記憶されることとなって、ＨＤＤ６の記憶領域を効率良く使用することができ、音楽専用チャンネルの放送をより効率良く記録することができる。
また、曲の始まりと終わりが無音部だけでなく、静止画が連続した映像データに変化があるか否かによっても判断されるので、１曲の中に無音部を含む曲であっても、より正確に曲の始まりと終わりを判断することができる。
また、無音部により曲の始まりと終わりが検出されて、ＨＤＤ６には、１曲分の音声データが１つのチャプターとして記憶されるので、１曲ごとのスキップ再生をすることができる。
【００５５】
（第３の実施形態）
第３の実施形態に係るデジタル放送記録装置５００は、例えば、図７に示すように、記憶部３１の構成のみが、第１の実施形態に係るデジタル放送記録装置１００と異なるので、同一の構成については同一の符号を付すとともに、その説明を省略する。
【００５６】
記憶部３１は、例えば、プログラムやデータ等が予め記憶されている記録媒体（図示せず）を有しており、この記録媒体は、例えば、半導体メモリ等で構成されている。また、記憶部３１は、ＣＰＵ９がデジタル放送記録装置５００全体を制御する機能を実現させるための各種データ，各種処理プログラム，これらプログラムの実行により処理されたデータ等を記憶する。より具体的には、記憶部３１は、例えば、図７に示すように、映像データファイル３１Ａ，通常録画プログラム１１Ａ，検出プログラム１１Ｂ，記憶制御プログラム３１Ｂ，再生制御プログラム３１Ｃ等を格納している。
【００５７】
映像データファイル３１Ａは、音楽番組の再生中に表示装置２００の表示部に表示させる映像データを記憶している。
具体的には、例えば、音楽番組を再生中である旨のメッセージ画像、風景画像など任意であり、動画又は静止画の何れであっても良い。
【００５８】
記憶制御プログラム３１Ｂは、例えば、ＣＰＵ９に、映像音声データの無音部から当該無音部の次の無音部までの間の音声データを１つのチャプターとしてＨＤＤ６に記憶させる機能を実現させるプログラムである。より具体的には、記憶制御プログラム３１Ｂは、例えば、ＣＰＵ９に、検出プログラム１１Ｂを実行することにより、無音部を検出したか否かを判断し、無音部を検出したと判断した場合に、映像音声データの無音部から当該無音部の次の無音部までの間の音声データを１つのチャプターとしてＨＤＤ６に記憶させる機能を実現させるプログラムである。ＣＰＵ９は、かかる記憶制御プログラム３１Ｂを実行することにより、記憶制御手段として機能する。
【００５９】
再生制御プログラム３１Ｃは、例えば、ＣＰＵ９に、ＨＤＤ６に記憶された音声データを再生する際に、映像データファイル３１Ａに記憶された映像データに基づく映像を表示装置２００に表示させる機能を実現させるプログラムである。より具体的には、再生制御プログラム３１Ｃは、例えば、ＣＰＵ９に、ＨＤＤ６に記憶された音声データをデコーダ４により復号処理させて音出力装置３００に出力して再生させるとともに、映像データファイル３０Ｃに記憶されている映像データを表示装置２００に出力して再生させる機能を実現させるプログラムである。ＣＰＵ９は、かかる再生制御プログラム３１Ｃを実行することにより、再生制御手段として機能する。
【００６０】
次に、上述のような構成の第３の実施形態に係るデジタル放送記録装置５００の音楽番組録画モードの動作について図８に示すフローチャートを参照しながら説明する。
まず、入力部７がユーザに操作されることにより、音楽番組録画モードを指定する操作信号が入力されると（ステップＳ３０１）、ＣＰＵ９は、検出プログラム１１Ｂを実行することにより、デジタル放送により伝送される映像音声データの無音部を検出する（ステップＳ３０２）。
【００６１】
次に、ＣＰＵ９は、記憶制御プログラム３１Ｂを実行することにより、無音部を検出したか否かを判断する（ステップＳ３０３）。
ステップＳ３０３において、ＣＰＵ９が、無音部を検出していないと判断した場合には（ステップＳ３０３；Ｎｏ）、ステップＳ３０２に戻る。
ステップＳ３０３において、ＣＰＵ９が、無音部を検出したと判断した場合には（ステップＳ３０３；Ｙｅｓ）、ＣＰＵ９は、再度、検出プログラム１１Ｂを実行することにより、デジタル放送により伝送される映像音声データの無音部を検出する（ステップＳ３０４）。
【００６２】
次に、ＣＰＵ９は、記憶制御プログラム３１Ｂを実行することにより、無音部を検出したか否かを判断する（ステップＳ３０５）。
ステップＳ３０５において、ＣＰＵ９が、無音部を検出していないと判断した場合には（ステップＳ３０５；Ｎｏ）、ステップＳ３０４に戻る。
ステップＳ３０５において、ＣＰＵ９が、無音部を検出したと判断した場合には（ステップＳ３０５；Ｙｅｓ）、ＣＰＵ９は、記憶制御プログラム３１Ｂの実行に基づいて、映像音声データの無音部から当該無音部の次の無音部までの間の音声データを１つのチャプターとしてＨＤＤ６に記憶させる（ステップＳ３０６）。
【００６３】
次に、ＣＰＵ９は、入力部７がユーザにより操作されることにより、録画を終了する操作信号が入力されたか否かを判断する（ステップＳ３０７）。
ステップＳ３０７において、ＣＰＵ９が、録画を終了する操作信号が入力されていないと判断した場合には（ステップＳ３０７；Ｎｏ）、ステップＳ３０４に戻る。
ステップＳ３０７において、ＣＰＵ９が、録画を終了する操作信号が入力されたと判断した場合には（ステップＳ３０７；Ｙｅｓ）、本処理を終了する。
【００６４】
次に、本発明の第３の実施形態に係るデジタル放送記録装置５００における音楽番組録画モードによりＨＤＤ６に記憶された音声データの再生動作について図９に示すフローチャートを参照しながら説明する。
【００６５】
まず、入力部７がユーザにより操作されることによって、音楽番組録画モードによりＨＤＤ６に記憶された音声データの再生を指示する操作信号が入力されると（ステップＳ４０１）、ＣＰＵ９は、再生制御プログラム３１Ｃを実行することにより、ＨＤＤ６に記憶された音声データをデコーダ４により復号処理させて音出力装置３００に出力して再生させるとともに、映像データファイル３１Ａに記憶されている映像データを表示装置２００に出力して再生させる（ステップＳ４０２）。
【００６６】
以上に説明した本発明の第３の実施形態に係るデジタル放送記録装置５００によれば、ＣＰＵ９が検出プログラム１１Ｂを実行することにより、入力部７によって音楽番組録画モードが指定された場合に、デジタル放送により伝送される映像音声データの無音部が検出され、ＣＰＵ９が記憶制御プログラム３１Ｂを実行することにより、映像音声データの無音部から当該無音部の次の無音部までの間の音声データが１つのチャプターとしてＨＤＤ６に記憶され、ＣＰＵ９が再生制御プログラム３１Ｃを実行することにより、ＨＤＤ６に記憶された音声データが再生される際に、所定の映像データに基づく映像が表示装置２００に表示されるので、ＨＤＤ６には音声データのみが記憶されることとなって、ＨＤＤ６の記憶領域を効率良く使用することができ、音楽専用チャンネルの放送をより効率良く記録することができる。
また、無音部により曲の始まりと終わりが検出されて、ＨＤＤ６には、１曲分の音声データが１つのチャプターとして記憶されるので、１曲ごとのスキップ再生をすることができる。
また、音声データが再生される際には、予め記憶されている所定の映像データが表示装置２００に表示されることとなって、音声データと当該所定の映像データとを視聴することができ、音声データをより好適に再生することができる。
【００６７】
なお、本発明の第１の実施形態において、静止画データは、映像音声データの無音部の映像データから取得されることとしたが、無音部と当該無音部の次の無音部までの間の映像音声データから予め設定された時間間隔毎に取得されてもよい。この場合、音声データを再生する際には、取得された静止画データが所定時間毎に切り換えられて表示装置により出力されてもよい。
このように構成することにより、曲の始まりと終わりの無音部が検出されて当該無音部の間の１曲の中で予め設定された時間間隔毎の静止画データが取得され、結果として１曲当たり所定数の静止画データが取得されることとなり、ＨＤＤ６には、１曲分の音声データと所定数の静止画データのみが記憶されることとなって、ＨＤＤ６の記憶領域を効率良く使用することができ、音楽専用チャンネルの放送をより効率良く記録することができる。
また、音声データと動画である映像データとが放送される番組であっても、当該映像データから予め設定された時間間隔毎に静止画データが取得され、ＨＤＤ６に記憶された音声データを再生する際に、当該静止画データに基づく画像が所定時間毎に切り換えられて表示装置２００に表示されるので、動画である映像データを大まかに視聴することができる。
また、無音部と当該無音部の次の無音部までの間の映像音声データからの静止画データの取得は、予め設定された時間間隔毎でなくともよい。
【００６８】
また、本発明の第３の実施形態において、デジタル放送記録装置５００にＯＳＤ回路等が設けられてもよく、映像データファイル３１Ａに基づく映像の代わりに、所定のＯＳＤ表示が表示装置２００に表示されてもよい。
【図面の簡単な説明】
【００６９】
【図１】本発明に係るデジタル放送記録装置の概略構成を示す図である。
【図２】本発明の第１の実施形態に係るデジタル放送記録装置の構成を示すブロック図である。
【図３】本発明の第１の実施形態に係るデジタル放送記録装置の音楽番組録画モードの動作の一例を説明するフローチャートである。
【図４】本発明の第１の実施形態に係るデジタル放送記録装置における音楽番組録画モードによりＨＤＤに記憶された音声データの再生動作の一例を説明する図である。
【図５】本発明の第２の実施形態に係るデジタル放送記録装置の構成を示すブロック図である。
【図６】本発明の第２の実施形態に係るデジタル放送記録装置の音楽番組録画モードの動作の一例を説明するフローチャートである。
【図７】本発明の第３の実施形態に係るデジタル放送記録装置の構成を示すブロック図である。
【図８】本発明の第３の実施形態に係るデジタル放送記録装置の音楽番組録画モードの動作の一例を説明するフローチャートである。
【図９】本発明の第３の実施形態に係るデジタル放送記録装置における音楽番組録画モードによりＨＤＤに記憶された音声データの再生動作の一例を説明する図である。
【符号の説明】
【００７０】
６  ＨＤＤ（記憶手段）
７  入力部（指定手段）
９  ＣＰＵ（検出手段，取得手段，記憶制御手段，再生制御手段，判断手段）
１１Ｂ  検出プログラム（検出手段）
１１Ｃ，２１Ｂ  取得プログラム（取得手段）
１１Ｄ，３１Ｂ  記憶制御プログラム（記憶制御手段）
１１Ｅ，３１Ｃ  再生制御プログラム（再生制御手段）
２１Ａ  判断プログラム（判断手段）
１００，４００，５００  デジタル放送記録装置
２００  表示装置
【図１】
0004747923.tif 000002
【図２】
0004747923.tif 000003
【図３】
0004747923.tif 000004
【図４】
0004747923.tif 000005
【図５】
0004747923.tif 000006
【図６】
0004747923.tif 000007
【図７】
0004747923.tif 000008
【図８】
0004747923.tif 000009
【図９】
0004747923.tif 000010